(57)【要約】【課題】台車14で運搬した玉箱15、台車14を利用せずに運んだ玉箱15のいずれからでも、玉箱15内の玉を玉計数機13に容易に投入できる玉計数機用リフト装置11を提供する。【解決手段】玉計数機13を載置する載置台本体12の前面側にリフト部材39を配置し、載置台本体12内にリフト部材39を上下方向に移動させる駆動機構51を配設する。玉箱15を運搬する台車14をリフト部材39に搭載して上昇させ、玉計数機13に対する玉箱15内の玉の投入を容易にする。リフト部材39を予め上方位置に位置させ、台車を利用せずに運んだ玉箱15をリフト部材39に一旦載置し、玉計数機13に対する玉箱15内の玉の投入を容易にする。駆動機構51を載置台本体12内に配設し、載置台本体12の前面側にはリフト部材39のみとし、玉計数機13に対する玉箱15内の玉の投入を容易にする。【選択図】図１
2008099922.tif 000002
【特許請求の範囲】
【請求項１】
玉計数機が載置される載置台本体と、
この載置台本体の前面側に配置され、玉箱を載置可能とするとともに床面近傍の下方位置と玉計数機近くの上方位置との間を移動可能とするリフト部材と、
前記載置台本体内に配設され、前記リフト部材を移動させる駆動機構と
を具備していることを特徴とする玉計数機用リフト装置。
【請求項２】
リフト部材の待機位置を上方位置とする
ことを特徴とする請求項１記載の玉計数機用リフト装置。
【請求項３】
リフト部材の待機位置を上方位置と下方位置とのいずれか一方に選択設定する待機位置設定手段を備えている
ことを特徴とする請求項１記載の玉計数機用リフト装置。
【請求項４】
リフト部材に玉箱が載置されていることを検知する玉箱検知手段を具備し、
駆動機構は、前記玉箱検知手段でリフト部材に玉箱が載置されていることを検知していれば、リフト部材を下降させない
ことを特徴とする請求項１ないし３いずれか記載の玉計数機用リフト装置。
【請求項５】
係員操作でのみ駆動機構の動作を許容する係員操作限定手段を具備している
ことを特徴とする請求項１ないし４いずれか記載の玉計数機用リフト装置。
【請求項６】
駆動機構は、モータ、このモータの駆動力をリフト部材に伝達する駆動力伝達経路、この駆動力伝達経路中に設けられたクラッチ手段を備える
ことを特徴とする請求項１ないし５いずれか記載の玉計数機用リフト装置。
【請求項７】
載置台本体の前面側で玉計数機近くに上下方向に揺動可能に配置され、リフト部材の上昇による玉箱との係合により玉計数機に向けて下降する投入姿勢に揺動されるとともに、玉箱から放出される玉箱内の玉を玉計数機に投入するシュート部材と、
このシュート部材が投入姿勢に揺動したことを検知するシュート部材検知手段と、
このシュート部材検知手段の検知によりリフト部材の上昇を停止させる制御部とを備えている
ことを特徴とする請求項１ないし６いずれか記載の玉計数機用リフト装置。
【請求項８】
リフト部材上から玉箱を持ち上げて玉計数機上に移動させるとともに玉箱を傾斜させて玉箱内の玉を玉計数機に排出させる排出機構を備えている
ことを特徴とする請求項１ないし６いずれか記載の玉計数機用リフト装置。
【請求項９】
排出機構は、リフト部材上の玉箱に係合する玉箱係合部を有する第１のリンク、この第１のリンクの一端と載置台本体とを回動可能に連結する第２のリンク、および第１のリンクの他端と載置台本体とを回動可能に連結する第３のリンクとを有し、第２および第３のリンクの揺動により第１のリンクを介してリフト部材上から玉箱を持ち上げながら玉計数機上に移動させるとともに玉箱を傾斜させる
ことを特徴とする請求項８記載の玉計数機用リフト装置。
【請求項１０】
排出機構は、リフト部材および玉計数機の側部で上下方向に揺動可能なアーム、リフト部材上の玉箱に係合する玉箱係合部を支持してアームに沿ってリフト部材上と玉計数機上との間をスライド可能とするスライド部、このスライド部が玉計数機上に移動したときに玉箱係合部を介して玉箱を傾斜させる傾斜動作部を有し、アームの揺動によりリフト部材上から玉箱を持ち上げながらスライド部の移動により玉箱を玉計数機上に移動させるとともに傾斜動作部により玉箱を傾斜させる
ことを特徴とする請求項８記載の玉計数機用リフト装置。
【発明の詳細な説明】
【技術分野】
【０００１】
本発明は、載置された玉計数機の近くまで玉箱を上昇させて玉箱内の玉を玉計数機に投入可能とする玉計数機用リフト装置に関する。
【背景技術】
【０００２】
パチンコ店において、遊技客が獲得する出玉が多いと、複数の玉箱に玉を入れ、これら複数の玉箱を玉計数機の設置場所に運搬して玉箱内の玉を玉計数機に投入して計数させることは重労働である。
【０００３】
そこで、玉計数機として、玉を入れた玉箱を複数段に積み重ねて搭載した台車をそのまま玉計数機に装填することにより、自動的に下段の玉箱から順に玉箱の底面を開放して玉を台車から玉計数機に排出させて計数する玉計数機がある。この玉計数機の運用にあたっては、底面に開閉機構を有する専用玉箱と、玉箱の底面から排出される玉を玉計数機に導く専用台車とを用いている（例えば、特許文献１参照）。
【０００４】
また、玉計数機の前方にリフト装置を配置し、玉を入れた玉箱を複数段に積み重ねて搭載した台車をそのままリフト装置に装填し、リフトボタンを押すことにより、リフト装置によって台車ごと玉箱を持ち上げ、最上段の玉箱内の玉を玉計数機に容易にあけられるようにしている。最上段の玉箱内から玉をあけた後に、再度リフトボタンを押すことにより、リフト装置で玉箱１個分上昇させ、次の玉箱内から玉をあけられるようにしている。このリフト装置は、収納スペースを有する断面略コの字形のリフト装置本体を備え、このリフト装置本体の収納スペースに台車を装填可能としているとともに台車を載せて昇降するリフト板が配置されている（例えば、特許文献２参照）。
【特許文献１】特開平１１−７０２６７号公報（第９−１１頁、図１−４）
【特許文献２】特開平９−３８３３４号公報（第３−４頁、図５、図８−１２）
【発明の開示】
【発明が解決しようとする課題】
【０００５】
しかしながら、特許文献１の玉計数機では、玉箱を複数段に積み重ねて搭載した台車をそのまま玉計数機に装填するだけで玉箱内の玉を自動的に玉計数機に排出させて計数できるものの、複雑な構造を有する専用玉計数機や専用台車および専用玉箱が必要となるためにコストアップにつながる。さらに、底面に開閉機構を有する専用玉箱は、積み上げたときにかさが高く、収納スペースが余分に必要となる。しかも、特許文献１のパチンコ玉計数機を利用する場合には、専用台車への専用玉箱の積み替えが必要となるので、十分な問題の解決になっていない。
【０００６】
また、特許文献２のリフト装置の場合には、玉計数機の前方にコの字形のリフト装置本体が配設されるため、玉計数機の前方に大きな設置スペースを必要としている。複数台のパチンコ台が設置される島端に玉計数機が設置される場合、島端の周辺は通路であるため、設置スペースが限られており、リフト装置が邪魔になってしまう。
【０００７】
通常、台車を必要とするのは３個以上の玉箱を搬送する場合であって、１〜２個の玉箱であれば人手で運ぶことが多い。玉箱を人手で玉計数機の場所に運んだ場合、玉計数機の前方に設置されているコの字形の装置本体が玉箱内の玉を玉計数機に投入するのに邪魔になる。さらに、複数の玉箱を運んだ場合には、玉計数機の周囲に玉箱を一旦置くスペースを設ける必要が生じる。最近では、待機状態においては玉計数機の投入口が閉鎖されており、係員操作によって開放して計数処理を行う運用が一般的である。そのため、玉箱を１個だけ持ってきた遊技客も即座に玉計数機に玉を投入することができず、玉箱を一旦載置するスペースが必要とされる。
【０００８】
本発明は、このような点に鑑みなされたもので、専用の玉計数機や台車および玉箱などを必要とせず、台車を利用して運搬してきた玉箱および台車を利用しないで運んできた玉箱のいずれからでも玉箱内の玉を玉計数機に容易に投入できる玉計数機用リフト装置を提供することを目的とする。
【課題を解決するための手段】
【０００９】
請求項１記載の玉計数機用リフト装置は、玉計数機が載置される載置台本体と、この載置台本体の前面側に配置され、玉箱を載置可能とするとともに床面近傍の下方位置と玉計数機近くの上方位置との間を移動可能とするリフト部材と、前記載置台本体内に配設され、前記リフト部材を移動させる駆動機構とを具備しているものである。
【００１０】
請求項２記載の玉計数機用リフト装置は、請求項１記載の玉計数機用リフト装置において、リフト部材の待機位置を上方位置とするものである。
【００１１】
請求項３記載の玉計数機用リフト装置は、請求項１記載の玉計数機用リフト装置において、リフト部材の待機位置を上方位置と下方位置とのいずれか一方に選択設定する待機位置設定手段を備えているものである。
【００１２】
請求項４記載の玉計数機用リフト装置は、請求項１ないし３いずれか記載の玉計数機用リフト装置において、リフト部材に玉箱が載置されていることを検知する玉箱検知手段を具備し、駆動機構は、前記玉箱検知手段でリフト部材に玉箱が載置されていることを検知していれば、リフト部材を下降させないものである。
【００１３】
請求項５記載の玉計数機用リフト装置は、請求項１ないし４いずれか記載の玉計数機用リフト装置において、係員操作でのみ駆動機構の動作を許容する係員操作限定手段を具備しているものである。
【００１４】
請求項６記載の玉計数機用リフト装置は、請求項１ないし５いずれか記載の玉計数機用リフト装置において、駆動機構は、モータ、このモータの駆動力をリフト部材に伝達する駆動力伝達経路、この駆動力伝達経路中に設けられたクラッチ手段を備えるものである。
【００１５】
請求項７記載の玉計数機用リフト装置は、請求項１ないし６いずれか記載の玉計数機用リフト装置において、載置台本体の前面側で玉計数機近くに上下方向に揺動可能に配置され、リフト部材の上昇による玉箱との係合により玉計数機に向けて下降する投入姿勢に揺動されるとともに、玉箱から放出される玉箱内の玉を玉計数機に投入するシュート部材と、このシュート部材が投入姿勢に揺動したことを検知するシュート部材検知手段と、このシュート部材検知手段の検知によりリフト部材の上昇を停止させる制御部とを備えているものである。
【００１６】
請求項８記載の玉計数機用リフト装置は、請求項１ないし６いずれか記載の玉計数機用リフト装置において、リフト部材上から玉箱を持ち上げて玉計数機上に移動させるとともに玉箱を傾斜させて玉箱内の玉を玉計数機に排出させる排出機構を備えているものである。
【００１７】
請求項９記載の玉計数機用リフト装置は、請求項８記載の玉計数機用リフト装置において、排出機構は、リフト部材上の玉箱に係合する玉箱係合部を有する第１のリンク、この第１のリンクの一端と載置台本体とを回動可能に連結する第２のリンク、および第１のリンクの他端と載置台本体とを回動可能に連結する第３のリンクとを有し、第２および第３のリンクの揺動により第１のリンクを介してリフト部材上から玉箱を持ち上げながら玉計数機上に移動させるとともに玉箱を傾斜させるものである。
【００１８】
請求項１０記載の玉計数機用リフト装置は、請求項８記載の玉計数機用リフト装置において、排出機構は、リフト部材および玉計数機の側部で上下方向に揺動可能なアーム、リフト部材上の玉箱に係合する玉箱係合部を支持してアームに沿ってリフト部材上と玉計数機上との間をスライド可能とするスライド部、このスライド部が玉計数機上に移動したときに玉箱係合部を介して玉箱を傾斜させる傾斜動作部を有し、アームの揺動によりリフト部材上から玉箱を持ち上げながらスライド部の移動により玉箱を玉計数機上に移動させるとともに傾斜動作部により玉箱を傾斜させるものである。
【発明の効果】
【００１９】
請求項１記載の玉計数機用リフト装置によれば、玉計数機を載置する載置台本体の前面側にリフト部材を配置し、載置台本体内にリフト部材を上下方向に移動させる駆動機構を配設したため、専用の玉計数機や台車および玉箱などを必要とせず、台車を利用して運搬してきた玉箱をリフト部材に搭載して上昇させることができるとともに、リフト部材を予め上方位置に位置させた場合にはそのリフト部材に台車を利用しないで運んできた玉箱を一旦載置でき、玉箱内の玉を玉計数機に容易に投入でき、しかも、駆動機構が載置台本体内に配設され、載置台本体の前面側にはリフト部材以外に邪魔なものがなく、玉計数機への玉箱内の玉の投入操作を容易にできる。
【００２０】
請求項２記載の玉計数機用リフト装置によれば、請求項１記載の玉計数機用リフト装置の効果に加えて、リフト部材の待機位置を上方位置とすることにより、台車を利用しないで運んできた玉箱をリフト部材に一旦載置でき、玉計数機への玉箱内の玉の投入操作を容易にできる。
【００２１】
請求項３記載の玉計数機用リフト装置によれば、請求項１記載の玉計数機用リフト装置の効果に加えて、待機位置設定手段によりリフト部材の待機位置を上方位置と下方位置とのいずれか一方に選択設定できるため、例えば、待機位置を下方位置して台車用に優先させたり、待機位置を上方位置として台車を利用しないで運んできた玉箱の載置用に優先させたりといった設置場所での利用状況などに応じて任意に設定できる。
【００２２】
請求項４記載の玉計数機用リフト装置によれば、請求項１ないし３いずれか記載の玉計数機用リフト装置の効果に加えて、玉箱検知手段でリフト部材に玉箱が載置されていることを検知していれば、リフト部材を下降させないため、まだ計数していない玉が収納されている玉箱を誤って下降させてしまうのを防止できる。
【００２３】
請求項５記載の玉計数機用リフト装置によれば、請求項１ないし４いずれか記載の玉計数機用リフト装置の効果に加えて、係員操作でのみ駆動機構の動作を許容するため、係員以外の不慣れな人が操作して、玉箱をひっくり返したりするのを防止できる。
【００２４】
請求項６記載の玉計数機用リフト装置によれば、請求項１ないし５いずれか記載の玉計数機用リフト装置の効果に加えて、駆動力伝達経路中にクラッチ手段を設けたため、例えば、クラッチ手段としてリフト部材の上昇方向のみに駆動伝達するワンウェイクラッチを用いれば、リフト部材の下降時にはリフト部材を床面に当接する位置に配置することができ、リフト部材に対する台車の乗降性をスムーズにでき、また、例えば、クラッチ手段として電磁クラッチを用いれば、リフト部材の上昇時においてリフト部材を所定の位置で停止させる際、駆動力の伝達を遮断し、慣性によるリフト部材の停止位置のばらつきを低減できる。
【００２５】
請求項７記載の玉計数機用リフト装置によれば、請求項１ないし６いずれか記載の玉計数機用リフト装置の効果に加えて、リフト部材の上昇による玉箱との係合でシュート部材が玉計数機に向けて下降する投入姿勢に揺動し、このシュート部材が投入姿勢に揺動したことをシュート部材検知手段で検知することによりリフト部材の上昇を停止させるため、シュート部材を通じて玉箱から放出される玉箱内の玉を玉計数機に投入できるとともに、玉箱を所定位置に停止させるための検知用にシュート部材を兼用でき、構成を簡素化できる。
【００２６】
請求項８記載の玉計数機用リフト装置によれば、請求項１ないし６いずれか記載の玉計数機用リフト装置の効果に加えて、排出機構を利用して、リフト部材上から玉箱を持ち上げて玉計数機上に移動させるとともに玉箱を傾斜させて玉箱内の玉を玉計数機に排出させることができるため、玉計数機への玉箱内の玉の投入操作を容易にできる。
【００２７】
請求項９記載の玉計数機用リフト装置によれば、請求項８記載の玉計数機用リフト装置の効果に加えて、排出機構として、第２および第３のリンクの揺動により第１のリンクを介してリフト部材上から玉箱を持ち上げながら玉計数機上に移動させるとともに玉箱を傾斜させるリンク方式を採用することにより、排出機構の構成を簡素化できるとともに、玉箱内の玉を玉計数機に確実に投入できる。
【００２８】
請求項１０記載の玉計数機用リフト装置によれば、請求項８記載の玉計数機用リフト装置の効果に加えて、排出機構として、アームの揺動によりリフト部材上から玉箱を持ち上げながらスライド部の移動により玉箱を玉計数機上に移動させるとともに傾斜動作部により玉箱を傾斜させるアーム方式を採用することにより、玉箱内の玉を玉計数機に確実に投入できる。
【発明を実施するための最良の形態】
【００２９】
以下、本発明の実施の形態を図面を参照して説明する。
【００３０】
図１ないし図６に第１の実施の形態を示す。
【００３１】
図１ないし図５に示すように、玉計数機用リフト装置11は、載置台本体12を備え、この載置台本体12上に玉計数機13が載置されており、台車14を利用して運搬してきた複数の玉箱15および台車14を利用しないで運んできた１個や２個の玉箱15のいずれからでも玉箱15内のパチンコ玉である玉を玉計数機13に容易に投入できるように構成されている。
【００３２】
玉計数機13は、一般的な据置型のもので、上面に玉が投入される投入口18が形成され、上面後部側に計数結果などを表示する表示部19が設けられている。そして、投入口18に投入された玉を玉計数機13の内部に受け入れて計数し、計数した玉は玉計数機13の後部から排出されて所定の回収装置に回収される。
【００３３】
台車14は、玉箱15を載置する台車本体22を備え、この台車本体22の下面に床面を走行するための複数の車輪23が取り付けられ、台車本体22の端部には台車14を走行操作させる図示しないハンドルなどが着脱可能に取り付けられる。
【００３４】
玉箱15は、上面を開口していて玉を収容する箱本体26を備え、この箱本体26の周辺部に縁部27が突設され、箱本体26の両端に取手28が突設されている。
【００３５】
そして、玉計数機用リフト装置11の載置台本体12は、両側の側板31、これら両側の側板31の間に掛け渡される上部側および下部側の棚板32，33、これら棚板32，33間の前面側に配置される前面板34、棚板32の上部背面側に配置される背面板35、棚板33の下部背面側に配置される背面板36を有し、上部側の棚板32上に玉計数機13が載置される。
【００３６】
載置台本体12の前面側には、台車14を載せて上昇させるためのリフト部材39が載置台本体12の前面側に沿って上下方向に移動可能に配置されている。このリフト部材39は、リフト支持部40とこのリフト支持部40に着脱可能に取り付けられたリフト部41とを備えている。リフト部41には、台車14を搭載したり玉箱15を直接載置可能とし、リフト支持部40側に対して反対側の縁部に台車14や玉箱15の側面を押えるガイド42が立設されている。リフト部41が床面に接する下方位置に位置する状態で、リフト部41の一側から床面を走行してきた台車14がそのまま走行して搭載される。リフト部41の他側に臨んで、リフト部41上の所定位置で台車14を停止させるストッパ43が配置されている。
【００３７】
リフト部材39のリフト支持部40側には、リフト部材39に台車14あるいは玉箱15が載置されていることを検知する玉箱検知手段44を備えている。この玉箱検知手段44は、例えば、リフト部41をリフト支持部40に対して持ち上げるように付勢する図示しないばね、リフト支持部40に対するリフト部41の位置に検知する図示しないマイクロスイッチなどで構成されている。そして、リフト部41に何も載置されていなければ、ばねの付勢によりリフト部41がリフト支持部40に対して持ち上げ傾向となって、マイクロスイッチがオフ状態となり、リフト部41に何も載置されていないことを検知する。また、リフト部41に台車14や玉箱15が載置されていれば、ばねの付勢に抗しリフト部41がリフト支持部40に対して押し下げ傾向となって、マイクロスイッチがオン状態となり、リフト部41に台車14や玉箱15が載置されていることを検知する。なお、このような玉箱検知手段44は、上方位置にあるリフト部材39に対応して載置台本体12側に設けてもよい。
【００３８】
載置台本体12の両側の側板31の互いに対向する内面には、側板31の前端に沿って上下方向にリフトガイド46が取り付けられている。このリフトガイド46には、上下方向に沿ってガイド溝部47が形成されている。これら両側のリフトガイド46のガイド溝部47には、リフト部材39のリフト支持部40の両端に回転自在に軸支されたローラ48が転動可能に係合されている。
【００３９】
そして、リフト部材39は、玉箱15を載置した台車14を搭載可能とする床面近傍の下方位置と、玉計数機13の近くの上方位置との間を移動昇降可能としている。例えば、下方位置はリフト部41が床面に接する位置であり、上方位置は下方位置より上方の位置であって例えば玉計数機13の近くの高さ位置が最も上方位置である。
【００４０】
また、載置台本体12内には、リフト部材39を昇降移動させる駆動機構51が配設されている。この駆動機構51では、両側のリフトガイド46の上部間と下部間とに上下の回転軸52がベアリングなどを介して回転自在に架設され、これら上下の回転軸52の両端部近傍にプーリ53がそれぞれ取り付けられ、上下のプーリ53にわたって無端状のベルト54が張設されている。ベルト54にはタイミングベルトが用いられ、プーリ53にはタイミングベルト用のタイミングプーリが用いられており、両側のベルト54が同期して一体に回動するように構成されている。
【００４１】
下側の回転軸52の一部を覆うように駆動部ケース55が配設され、この駆動部ケース55内において、下側の回転軸52にはウォームホイール56が取り付けられている。駆動部ケース55内には、ウォームホイール56に噛合するウォームギヤ57と、クラッチ手段58と、プーリ軸59とが同軸に配列されて、駆動部ケース55に回転可能に架設されている。
【００４２】
プーリ軸59には従動プーリ60が取り付けられ、この従動プーリ60の側部に駆動プーリ61が配置され、これらプーリ59，60間にベルト62が張設されている。駆動プーリ61は駆動部ケース55に取り付けられるモータ63により正逆回転駆動される。
【００４３】
クラッチ手段58は、モータ63からリフト部材39に駆動力を伝達する駆動力伝達経路64中に配設されており、リフト部材39が上昇する方向のみにモータ63からの駆動力を伝達するワンウェイクラッチ65、および電気的に駆動力の伝達と遮断とを切り換える電磁クラッチ66を備えている。
【００４４】
リフト部材39のリフト支持部40の昇降域に臨む載置台本体12側には、リフト部材39の最も下降した下方位置と最も上昇した上方位置とをそれぞれ検知する例えばマイクロスイッチや光学式センサなどで構成されたリフト部材位置検知手段67（図６に示す）が配設されている。この下方位置はリフト部材39のリフト部41が床面に接触した高さとし、上方位置はリフト部材39のリフト部41が玉計数機13の中段あたりの高さ（図５に示される高さ）としている。
【００４５】
また、載置台本体12の前面側上部で両側の側板31の内側間には、玉箱15から放出される玉を玉計数機13に投入するためのシュート部材70が配設されている。このシュート部材70は、載置台本体12の両側の側板31の内側間に架設されるプレート状の支持部材71の上端に支点部としてのヒンジ72を介して上下方向に揺動可能に軸支されている。
【００４６】
シュート部材70は、玉箱15の箱本体26より幅広に形成され、シュート部材70の両側には玉をガイドするガイド縁部73が立設されている。シュート部材70の前端はリフト部材39に載置される玉箱15の位置よりも少し後方に配置され、そのシュート部材70の前端中央域に引掛け縁部74が立設されている。シュート部材70の後端は玉計数機13の投入口18上に配置されている。そして、シュート部材70は、前端が下降する状態を待機姿勢とし、シュート部材70の前端が上昇して玉箱15から放出される玉を玉計数機13に投入可能とする状態を投入姿勢とする。
【００４７】
シュート部材70の上面略中央には、リフト部材39で上昇される玉箱15と係合する玉箱係合部75が取り付けられている。この玉箱係合部75の先端側は、シュート部材70の前側上面との間に間隙をあけるとともにそのシュート部材70の前端よりも前方に突設されている。
【００４８】
シュート部材70は支持部材71に対して伸縮可能なシュート部材支持体76で支えられている。このシュート部材支持体76は、支持部材71の前面側に支軸77によって回動可能に取り付けられた第１の支え部材78と、シュート部材70の下面側に支軸79によって回動可能に取り付けられた第２の支え部材80とを備え、これら第１の支え部材78の略Ｌ字形に折曲された縁部78aと第２の支え部材80の略Ｌ字形に折曲された縁部80aとが係合するとともに、第１の支え部材78に形成された長孔78bに第２の支え部材80に設けられたピン80bが係合し、伸縮可能に構成されている。
【００４９】
第２の支え部材80の下側縁部には鋸歯状のラチェット歯80cが形成され、このラチェット歯80cに噛合するフック81が支軸82によって第１の支え部材78に取り付けられ、このフック81が図示しないばねで噛合方向に付勢されている。ラチェット歯80cとフック81との噛合関係では、シュート部材支持体76が伸張する方向にはフック81に対してラチェット歯80cが乗り越えることができてシュート部材70の前端が持ち上げられるのを許容し、シュート部材支持体76の収縮方向にはフック81にラチェット歯80cが噛合してシュート部材70の前端が下降するのを規制する。
【００５０】
このフック81は第１の支え部材78に取り付けられたソレノイド83に図示しない連結部材を介して連結され、このソレノイド83の駆動によってフック81が第２の支え部材80から離脱してシュート部材70の前端が下降するように構成されている。
【００５１】
支持部材71には、シュート部材70の揺動位置を検知するマイクロスイッチを用いたシュート部材検知手段84が配設されている。そして、シュート部材検知手段84は、シュート部材70の前端が下降する待機姿勢でマイクロスイッチがオンし、シュート部材70の前端が上昇する投入姿勢でマイクロスイッチがオフし、シュート部材70の揺動位置を検知可能としている。
【００５２】
また、図６に示すように、玉計数機用リフト装置11を制御する制御部91は、スタートボタンなどを備えた操作部92、玉箱検知手段44、リフト部材位置検知手段67、シュート部材検知手段84から信号を入力するとともに、待機位置設定手段93による設定に応じて、モータ63、電磁クラッチ66を制御する。制御部91には、電源を供給する電源部96が接続されている。
【００５３】
操作部92は、載置台本体12の側部の上部側などの操作しやすい場所に設置されている。
【００５４】
待機位置設定手段93は、リフト部材39の待機位置を上方位置と下方位置とのいずれか一方に選択設定するもので、設定を操作する設定操作部94、および設定を記憶する設定記憶部95を有している。
【００５５】
次に、第１の実施の形態の作用を説明する。
【００５６】
図１に示すように、台車14による複数の玉箱15の運搬を想定し、リフト部材39の待機位置を下方位置に設定されている場合には、リフト部材39はリフト部41が床面に接する下方位置で待機している。また、シュート部材70は前端が下降する待機姿勢にある。
【００５７】
遊技客または係員などの操作者が、玉の入った玉箱15が複数段に載置された台車14をリフト部材39のリフト部41上に搬入し、操作部92のスタートスイッチを操作する。
【００５８】
操作部92のスタートスイッチの操作により、ソレノイド83がオン、オフした後、モータ63が駆動を開始し、台車14を搭載したリフト部材39を上昇させる。なお、ソレノイド83がオン、オフにより、仮に、シュート部材70の前端が上昇した投入姿勢にあっても、第１の支え部材78のフック81が第２の支え部材80のラチェット歯80cから強制的に外すため、シュート部材70の前端が自重で下降し、待機姿勢となる。
【００５９】
リフト部材39によって台車14を上昇させていくと、最上段の玉箱15の縁部27がシュート部材70の玉箱係合部75に係合し、この玉箱係合部75を介してシュート部材70の前端側を押し上げる。シュート部材70はヒンジ72を支点として前端側が上昇する投入姿勢に揺動し、このシュート部材70の投入姿勢への揺動に応じてシュート部材検知手段84のマイクロスイッチがオフすることにより、直ちに、モータ63の駆動を停止するとともに、電磁クラッチ66で駆動力伝達経路64を遮断する。これにより、慣性によるリフト部材39の上昇量を少なくでき、リフト部材39上の最上段の玉箱15を所望の位置で停止させることができる。
【００６０】
投入姿勢に揺動したシュート部材70は、第１の支え部材78のフック81が第２の支え部材80のラチェット歯80cに係合することで投入姿勢のまま保持される。
【００６１】
リフト部材39の上昇停止後、操作者の操作により、最上段の玉箱15の縁部27をシュート部材70の引掛け縁部74に引っ掛け、その引掛部分を支点として玉箱15の前側が上昇するように傾斜させることにより（図５参照）、玉箱15内に収納されている玉がシュート部材70上に放出され、このシュート部材70を通じて玉が玉計数機13の投入口18に投入される。玉を投入し終えて空となった玉箱15はシュート部材70から外して載置台本体12の近傍に配置される玉箱回収場所に載置する。
【００６２】
玉計数機13では、投入口18に投入された玉を計数し、計数結果を表示部19で表示する。
【００６３】
続いて、リフト部材39上に残る玉箱15からの玉投入を継続する場合には、操作者が操作部92でスタートスイッチを再度操作する。
【００６４】
操作部92のスタートスイッチの再操作により、まず、ソレノイド83がオンし、第１の支え部材78のフック81が第２の支え部材80のラチェット歯80cから強制的に外すため、シュート部材70の前端が自重で下降し、待機姿勢に復帰する。その後、ソレノイド83がオフし、第１の支え部材78のフック81が第２の支え部材80のラチェット歯80cに係合状態となり、さらに、モータ63が再び駆動され、リフト部材39を上昇し、最上段の玉箱15が玉箱係合部75に係合してシュート部材70が投入姿勢となり、シュート部材検知手段84のマイクロスイッチがオンし、直ちに、モータ63の駆動を停止するとともに、電磁クラッチ66で駆動力伝達経路64を遮断する。
【００６５】
リフト部材39の上昇停止後、上述したように、操作者の操作により、最上段の玉箱15内の玉をシュート部材70を通じて玉計数機13に投入する。
【００６６】
このようにして、リフト部材39による玉箱15の上昇と最上段の玉箱15からの玉投入とを繰り返し、リフト部材39上の全ての玉箱15内の玉を玉計数機13に順次投入し、玉計数機13で玉を計数する。
【００６７】
玉計数機13での玉計数完了後には、載置台本体12の近傍に配置されるレシート発行機から計数結果などを印字したレシートを発行させたり、会員カード処理機に挿入された会員カードに計数結果などのデータを書き込む。
【００６８】
また、操作部92でリフト部材39の下降を操作することにより、制御部91では、玉箱検知手段44によってリフト部材39上に玉箱15が載置されていないことを検知していれば、モータ63を駆動してリフト部材39が下方位置へ向けて下降させる。
【００６９】
このとき、制御部91では、リフト部材39が上方位置にあり、かつ、玉箱検知手段44によってリフト部材39上に玉箱15が載置されていることを検知していれば、モータ63を駆動させず、リフト部材39が下方位置へ向けて下降するのを禁止し、操作部92などでアラーム表示する。これにより、まだ計数していない玉が収納されている玉箱15がリフト部材39上に載置されている状態で、誤って操作部92で下降操作しても、リフト部材39が下降するのを防止できる。
【００７０】
下降するリフト部材39のリフト部41が床面に接触し、このリフト部材39が下方位置に達したことをリフト部材位置検知手段67で検知したら、直ちにモータ63を停止させる。このとき、モータ63には慣性があるが、駆動力伝達経路64中に介在されているワンウェイクラッチ65により、リフト部材39のリフト部41が床面に接触した時点で動力伝達が遮断される。そのため、リフト部材39の下降時には、リフト部材39を床面に当接する一定の位置で停止させることができ、リフト部材39の停止位置がばらつくことがなく、リフト部材39と床面との間に隙間ができることもなく、リフト部材39のリフト部41上に台車14をスムーズに乗せることができる。
【００７１】
また、台車14を使用せず、例えば１〜２個の玉箱15を運んでくることを想定してリフト部材39の待機位置を上方位置に設定している場合には、リフト部材39が上方位置で待機している。シュート部材70は、前端が上昇する投入姿勢になるように、予め係員などによって操作されている。
【００７２】
１個の玉箱15を運んできた場合には、その玉箱15内の玉を玉計数機13の投入口18に投入する。玉投入する場合には、上述したように、玉箱15の縁部27をシュート部材70の引掛け縁部74に引っ掛け、その引掛部分を支点として玉箱15の前側が上昇するように傾斜させることにより（図５参照）、玉箱15内に収納されている玉をシュート部材70上に放出し、このシュート部材70を通じて玉を玉計数機13の投入口18に投入することができる。
【００７３】
２個の玉箱15を重ねて運んできた場合には、それら玉箱15を上方位置に位置するリフト部材39上に一旦載置し、上段の玉箱15を持って玉箱15内の玉を玉計数機13の投入口18に投入し、続いてリフト部材39上に載置した下段の玉箱15を持って玉箱15内の玉を玉計数機13の投入口18に投入する。このときにも、玉投入する場合には、上述したように、玉箱15の縁部27をシュート部材70の引掛け縁部74に引っ掛け、その引掛部分を支点として玉箱15の前側が上昇するように傾斜させることにより（図５参照）、玉箱15内に収納されている玉をシュート部材70上に放出し、このシュート部材70を通じて玉を玉計数機13の投入口18に投入することができる。
【００７４】
このように、玉計数機13を載置する載置台本体12の前面側にリフト部材39を配置し、載置台本体12内にリフト部材39を上下方向に移動させる駆動機構51を配設したため、専用の玉計数機や台車および玉箱などを必要とせず、一般的な汎用の台車14を利用して運搬してきた玉箱15をリフト部材39に搭載して上昇させることができるとともに、リフト部材39を予め上方位置に位置させた場合にはそのリフト部材39に台車14を利用しないで運んできた玉箱15を一旦載置でき、玉箱15内の玉を玉計数機13に容易に投入できる。
【００７５】
しかも、駆動機構51が載置台本体12内に配設され、載置台本体12の前面側にはリフト部材39以外に邪魔なものがなく、玉計数機13への玉箱15内の玉の投入操作を容易にできる。
【００７６】
また、予めリフト部材39の待機位置を上方位置とすることにより、台車14を利用しないで運んできた玉箱15をリフト部材39に一旦載置でき、玉計数機13への玉箱15内の玉の投入操作を容易にできる。
【００７７】
さらに、待機位置設定手段93によりリフト部材39の待機位置を上方位置と下方位置とに選択設定できるため、例えば、待機位置を下方位置して台車用に優先させたり、待機位置を上方位置として台車14を利用しないで運んできた玉箱15の載置用に優先させたりといった設置場所での利用状況などに応じて任意に設定できる。
【００７８】
また、リフト部材39の上昇による玉箱15との係合でシュート部材70が玉計数機13に向けて下降する投入姿勢に揺動し、このシュート部材70が投入姿勢に揺動したことをシュート部材検知手段84で検知することによりリフト部材39の上昇を停止させるため、シュート部材70を通じて玉箱15から放出される玉箱15内の玉を玉計数機13に投入できるとともに、玉箱15を所定位置に停止させるための検知用にシュート部材70を兼用でき、構成を簡素化できる。
【００７９】
駆動力伝達経路64中にクラッチ手段58を設けたため、このクラッチ手段58としてリフト部材39の上昇方向のみに駆動伝達するワンウェイクラッチ65を用いれば、リフト部材39の下降時にはリフト部材39を床面に当接する位置に配置することができ、リフト部材39に対する台車14の乗降性をスムーズにでき、また、クラッチ手段58として電磁クラッチ66を用いれば、リフト部材39の上昇時においてリフト部材39を所定の位置で停止させる際、駆動力の伝達を遮断し、慣性によるリフト部材39の停止位置のばらつきを低減できる。
【００８０】
なお、玉計数機用リフト装置11の操作部92に係員操作限定手段としてのキースイッチを付加し、このキースイッチを係員が持つキーで操作することにより玉計数機用リフト装置11の動作を許容し、すなわちキーを持つ係員のみ玉計数機用リフト装置11を使用でき、遊技者には使用できないようにしてもよい。これにより、係員以外の不慣れな遊技者が操作して、玉箱15をひっくり返したりするのを防止できる。
【００８１】
この係員操作のみに限定する係員操作限定手段としては、キースイッチ以外に、係員カードを読み取らせたり、指紋などの生態認証を行うようにしてもよい。
【００８２】
次に、図７に第２の実施の形態を示す。
【００８３】
この第２の実施の形態では、第１の実施の形態のシュート部材70およびこのシュート部材70に関連する構成に代えて、リフト部材39上から玉箱15を持ち上げて玉計数機13上に移動させるとともに玉箱15を傾斜させて玉箱15内の玉を玉計数機13に排出させる排出機構101を備えている。
【００８４】
この排出機構101は、リフト部材39上の玉箱15の両側の取手28に係合する玉箱係合部102を有する両側の第１のリンク103、これら両側の各第１のリンク103と載置台本体12の両側の側板31の外面とを回動可能に連結する第２のリンク104および第３のリンク105を備えている。
【００８５】
玉箱係合部102は、この玉箱係合部102に対して、玉箱15が相対的に上昇する方向には通過可能とするとともに、玉箱15が相対的に下降する方向には挟持状態で係止可能としている。なお、この玉箱係合部102の例は次の第３の実施の形態で説明する。
【００８６】
両側の第１のリンク103の前後両端が支軸106，107によって互いに連結され、これらによって枠部108が形成されている。
【００８７】
各第２のリンク104は、第３のリンク105より長く、一端である前端が第１のリンク103の一端である前端に支軸106で回動可能に軸支され、他端である後端が載置台本体12の側板31の外面に支軸109で回動可能に軸支されている。
【００８８】
各第３のリンク105は、第２のリンク104より短く、一端である前端が第１のリンク103の他端である後端に支軸107で回動可能に軸支され、他端である後端が載置台本体12の側板31の外面に支軸110で回動可能に軸支されている。
【００８９】
そして、第２の実施の形態の動作を作用する。
【００９０】
排出機構101の待機状態では、第１のリンク103が載置台本体12の前方域で略水平に配置されている。
【００９１】
玉の入った玉箱15が複数段に載置された台車14をリフト部材39のリフト部41上に搬入し、操作部92のスタートスイッチを操作することにより、台車14を搭載したリフト部材39が上昇する。
【００９２】
リフト部材39によって上昇する最上段の玉箱15の取手28が両側の第１のリンク103の玉箱係合部102に係合したら、リフト部材39を停止させる。このリフト部材39の停止制御には、玉箱15の位置を検知する図示しないセンサやスイッチなどの図示しない検知手段が用いられる。
【００９３】
枠部108の前端部を上昇させつつ後方へ移動させることにより、第２のリンク104および第３のリンク105の揺動により、第１のリンク103を介してリフト部材39上から玉箱15を持ち上げながら玉計数機13上に移動させるとともに、玉箱15を傾斜させる。これにより、玉箱15内の玉が下方へ放出されて玉計数機13の投入口18に投入される。
【００９４】
玉箱15からの玉投入後には、枠部108の前端部を前方へ引き寄せつつ下降させることにより、排出機構101を待機状態に戻し、次の玉投入動作に備える。
【００９５】
また、台車14を使用せず、例えば１〜２個の玉箱15を運んでくることを想定してリフト部材39の待機位置を上方位置に設定する場合には、排出機構101の枠部108がリフト部材39上より後方に揺動した位置を排出機構101の待機位置とすることにより、運んできた玉箱15をリフト部材39上に一旦載置できるようにする。この場合、排出機構101の枠部108を一旦下方に揺動させて玉箱係合部102を玉箱15に係合させた後に上昇させることにより、玉箱15内の玉を玉計数機13に排出できる。
【００９６】
このように、排出機構101を利用して、リフト部材39上から玉箱15を持ち上げて玉計数機13上に移動させるとともに玉箱15を傾斜させて玉箱15内の玉を玉計数機13に排出させることができるため、玉計数機13への玉箱15内の玉の投入操作を容易にできる。
【００９７】
特に、排出機構101として、第２のリンク104および第３のリンク105の揺動により第１のリンク103を介してリフト部材39上から玉箱15を持ち上げながら玉計数機13上に移動させるとともに玉箱15を傾斜させるリンク方式を採用することにより、排出機構101の構成を簡素化できるとともに、玉箱15内の玉を玉計数機13に確実に投入できる。
【００９８】
次に、図８ないし図１１に第３の実施の形態を示す。
【００９９】
この第３の実施の形態では、第１の実施の形態のシュート部材70およびこのシュート部材70に関連する構成に代えて、リフト部材39上から玉箱15を持ち上げて玉計数機13上に移動させるとともに玉箱15を傾斜させて玉箱15内の玉を玉計数機13に排出させる排出機構121を備えている。
【０１００】
この排出機構121は、載置台本体12の両側の側板31の外側に配置される両側のアーム122、およびこれら両側のアーム122の一端である前端を連結する連結部123を有する略コ字形のアーム体124を備えている。両側のアーム122の他端である後端が支軸125によって載置台本体12の両側の側板31の後部側に回動可能に軸支されている。両側のアーム122は、載置台本体12の前方まで突出されていて、リフト部材39および玉計数機13の両側部域に配置され、支軸125を支点として上下方向に揺動可能としている。
【０１０１】
両側のアーム122は、断面略Ｃ字形に形成され、その内側には、アーム122に沿ってリフト部材39上と玉計数機13上との間をスライド可能とするスライド部126が配設されている。このスライド部126は、アーム122の上下内側に転動可能に配置された上下の複数のローラ127を有し、これらローラ127によりアーム122に沿ってスライド可能としている。
【０１０２】
両側のスライド部126には、リフト部材39上の玉箱15の両側の取手28に係合する玉箱係合部128が取り付けられている。この玉箱係合部128は、玉箱15の取手28の下側に係合する下側係合部129と取手28の上側に係合する上側係合部130とを有し、これら下側係合部129と上側係合部130との間に取手28を挟み込んで保持可能としている。下側係合部129および上側係合部130は、それぞれヒンジ131，132を介し基端側に対して先端側が上方へ回動可能としており、図示しないばねで水平方向へ向けて付勢されている。そのため、玉箱係合部128に対して、玉箱15が相対的に上昇する方向には通過可能とするとともに、玉箱15が相対的に下降する方向には係止可能としている。
【０１０３】
両側のスライド部126に揺動軸133の基端が回動可能に取り付けられ、この揺動軸133の先端に玉箱係合部128の下側係合部129の基端が取り付けられている。この揺動軸133の基端には揺動板134が取り付けられ、この揺動板134に２つのローラ135が回転可能に軸支されている。両側のアーム122の内側面に長手方向に沿ってレール136が取り付けられ、このレール136上に２つのローラ135が係合する状態で、玉箱係合部128がアーム122の長手方向に沿って平行な状態に保持される。
【０１０４】
レール136の後端側の端部136aは玉計数機13の投入口18上に位置し、スライド部126が後方の玉計数機13上に移動したときに、ローラ135がレール136の後端側の端部136aから外れて揺動板134および揺動軸133とともに玉箱係合部128が回転可能となる。そして、揺動軸133、揺動板134、ローラ135、レール136の後端側の端部136aなどにより、スライド部126が玉計数機13上に移動したときに玉箱係合部128を介して玉箱15を傾斜させて玉箱15内の玉を玉計数機13に投入させる傾斜動作部137として構成されている。
【０１０５】
また、両側のアーム122には、スライド部126を前方のリフト部材39上にスライドするように付勢する付勢手段としてのスプリング138が配設されている。このスプリング138は、一端がアーム122のレール136の後端部136aの近傍位置に取り付けられ、中間部がレール136の前側に配置される上下２つのガイド139に掛けられ、他端がスライド部126に連結されている。
【０１０６】
また、一側のスライド部126には後方へ向けて突片140が突設され、この突片140の先端にローラ141が回転自在に取り付けられている。これら突片140およびローラ141の位置に対応して、載置台本体12側には、前面側ガイド部142aおよび上面側ガイド部142bを有するガイド部材142が取り付けられている。
【０１０７】
そして、第３の実施の形態の作用を説明する。
【０１０８】
排出機構121の待機状態では、スプリング138の付勢によりスライド部126がアーム122の前方側にスライドしていてリフト部材39上に配置され、スライド部126に配置される揺動板134の２つのローラ135がレール136上に係合して玉箱係合部128がアーム122の長手方向に沿って平行な状態に保持されている。アーム体124は自重で下方に揺動していても図示しないばねなどで上方に揺動していてもよいが、ここではアーム体124は自重で下方に揺動しているものとする。
【０１０９】
玉の入った玉箱15が複数段に載置された台車14をリフト部材39のリフト部41上に搬入し、操作部92のスタートスイッチを操作することにより、台車14を搭載したリフト部材39が上昇する。
【０１１０】
リフト部材39によって上昇する最上段の玉箱15の取手28が両側の玉箱係合部128に係合したら、リフト部材39を停止させる。このとき、両側の玉箱係合部128では、玉箱15の取手28が下側係合部129を押し上げながら乗り越えるのを許容し、下側係合部129と上側係合部130との間に玉箱15の取手28を挟み込んで保持する。また、リフト部材39の停止制御には、玉箱15の位置を検知する図示しないセンサやスイッチなどの図示しない検知手段が用いられる。
【０１１１】
リフト部材39の停止後、アーム体124を上方に揺動させ、玉箱係合部128を介して玉箱15を一緒に持ち上げる。アーム体124の前端側が後端側よりも高くなるまで揺動させると、玉の入った玉箱15の重さでこの玉箱15と一緒にスライド部126がスプリング138の付勢に抗して後方へスライドしようとするが、アーム体124が所定の高さに揺動するまでは、スライド部126の突片140のローラ141がガイド部材142の前面側ガイド部142aに当接するため、スライド部126の後方へのスライドが規制される。
【０１１２】
アーム体124が所定の高さまで揺動すると、スライド部126の突片140のローラ141がガイド部材142の前面側ガイド部142aの上方に外れるため、玉の入った玉箱15の重さでこの玉箱15と一緒にスプリング138の付勢に抗してスライド部126が後方へスライドする。そのため、玉箱15がリフト部材39上から玉計数機13上に移動する。
【０１１３】
スライド部126が後方の玉計数機13上に移動したとき、スライド部126に配置される揺動板134の２つのローラ135がレール136の後端側の端部136aから外れ、揺動軸133を中心として玉箱係合部128および玉箱15が後方へ向けて回動するように傾斜する。これにより、玉箱15内の玉が下方へ放出されて玉計数機13の投入口18に投入される。
【０１１４】
玉箱15内から全ての玉が放出されると、玉箱15が軽くなるため、例えば揺動軸133に装着されている図示しないばねの付勢で玉箱係合部128および玉箱15が前方へ向けて回動されて傾斜前の姿勢に戻されるとともに、スプリング138の付勢によりスライド部126が前方へスライドする。このスライド部126が前側位置にスライドするまでは、スライド部126の突片140のローラ141がガイド部材142の上面側ガイド部142bに当接するために、アーム体124の下方への揺動が規制される。
【０１１５】
スライド部126が前側位置にスライドした後、アーム体124の上方への揺動を解除すれば、アーム体124が自重で下降し、排出機構101が待機状態に戻り、次の玉投入動作に備える。
【０１１６】
また、台車14を使用せず、例えば１〜２個の玉箱15を運んでくることを想定してリフト部材39の待機位置を上方位置に設定する場合には、アーム体124がリフト部材39上より後方に揺動した位置を排出機構121の待機位置とすることにより、運んできた玉箱15をリフト部材39上に一端載置できるようにする。この場合、アーム体124を一旦下方に揺動させて玉箱係合部128を玉箱15に係合させた後に上昇させることにより、玉箱15内の玉を玉計数機13に排出できる。
【０１１７】
このように、排出機構121を利用して、リフト部材39上から玉箱15を持ち上げて玉計数機13上に移動させるとともに玉箱15を傾斜させて玉箱15内の玉を玉計数機13に排出させることができるため、玉計数機13への玉箱15内の玉の投入操作を容易にできる。
【０１１８】
特に、排出機構121として、アーム122の揺動によりリフト部材39上から玉箱15を持ち上げながらスライド部126の移動により玉箱15を玉計数機13上に移動させるとともに傾斜動作部137により玉箱15を傾斜させるアーム方式を採用することにより、玉箱15内の玉を玉計数機13に確実に投入できる。
【０１１９】
なお、上述した実施の形態では、玉箱15を積んだ台車14ごとリフト部材39に載せて上昇させたが、玉箱15だけを上昇させてもよい。その場合は、リフト部材39を最下位の玉箱15の底面と台車14の載置面の間に挿入させたり、リフト部材39の平面形状をコの字形として、最下位の玉箱15の側面や取手28に係合させて、玉箱15のみを上昇させる方式がとられる。
【図面の簡単な説明】
【０１２０】
【図１】本発明の第１の実施の形態を示す玉計数機用リフト装置の側面方向から視た断面図である。
【図２】同上玉計数機用リフト装置の平面図である。
【図３】同上玉計数機用リフト装置の正面図である。
【図４】同上玉計数機用リフト装置のシュート部材の待機状態を示す拡大断面図である。
【図５】同上玉計数機用リフト装置のシュート部材の投入姿勢に揺動された状態を示す拡大断面図である。
【図６】同上玉計数機用リフト装置のブロック図である。
【図７】本発明の第２の実施の形態を示す玉計数機用リフト装置の側面方向から視た一部の断面図である。
【図８】本発明の第３の実施の形態を示す玉計数機用リフト装置の排出機構を側面方向から視た一部の断面図である。
【図９】同上玉計数機用リフト装置の排出機構による玉排出状態を示す側面方向から視た一部の断面図である。
【図１０】同上玉計数機用リフト装置の排出機構の一部の平面図ある。
【図１１】同上玉計数機用リフト装置の排出機構の一部の正面図である。
【符号の説明】
【０１２１】
11    玉計数機用リフト装置
12    載置台本体
13    玉計数機
15    玉箱
39    リフト部材
44    玉箱検知手段
51    駆動機構
58    クラッチ手段
63    モータ
64    駆動力伝達経路
70    シュート部材
84    シュート部材検知手段
91    制御部
93    待機位置設定手段
101   排出機構
102   玉箱係合部
103   第１のリンク
104   第２のリンク
105   第３のリンク
121   排出機構
122   アーム
126   スライド部
128   玉箱係合部
137   傾斜動作部
【図１】
2008099922.tif 000003
【図２】
2008099922.tif 000004
【図３】
2008099922.tif 000005
【図４】
2008099922.tif 000006
【図５】
2008099922.tif 000007
【図６】
2008099922.tif 000008
【図７】
2008099922.tif 000009
【図８】
2008099922.tif 000010
【図９】
2008099922.tif 000011
【図１０】
2008099922.tif 000012
【図１１】
2008099922.tif 000013